(57)【特許請求の範囲】
【請求項１】
エンジンと、前記エンジンにより駆動される可変容量型の油圧ポンプと、前記油圧ポンプにより駆動される油圧モータと、その油圧モータにより駆動される負荷装置とを有する車両において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え
前記アクセル操作制御手段は、前記実際のアクセル操作量と、前記制御用アクセル操作量に前記制限値を加算した値とを比較し、小さい方の値を新たな前記制御用アクセル操作量として出力するように構成された、車両。
【請求項２】
エンジンと、前記エンジンにより駆動される可変容量型の油圧ポンプと、前記油圧ポンプにより駆動される油圧モータと、その油圧モータにより駆動される負荷装置とを有する車両において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え
前記アクセル操作制御手段は、
前記実際のアクセル操作量と、前記制御用アクセル操作量とを比較し、前者が後者より大きければ、前記制御用アクセル操作量に前記制限値を加算した値を新たな前記制御用アクセル操作量として出力し、そうでなければ、前者を新たな前記制御用アクセル操作量として出力するように構成された、車両。
【請求項３】
エンジンと、前記エンジンにより駆動される可変容量型の油圧ポンプと、前記油圧ポンプにより駆動される油圧モータと、その油圧モータにより駆動される負荷装置とを有する車両において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え
前記制限値は、前記制限値に相当する時間当たり増加率で前記制御用アクセル操作量が増加したことによって引き起こされる前記エンジン回転速度の増加に対して、前記油圧ポンプの容量の増加が追従できる範囲内に設定されている、車両。
【請求項４】
エンジンと、前記エンジンにより駆動される可変容量型の油圧ポンプと、前記油圧ポンプにより駆動される油圧モータと、その油圧モータにより駆動される負荷装置とを有する車両において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え
前記制限値は、現在の前記実際のアクセル操作量に応じて、現在の前記実際のアクセル操作量が大きいほど前記制限値が大きくなるように設定される、車両。
【請求項５】
請求項１〜４のいずれか一項記載の車両において、フォークリフトとして構成された車両。
【請求項６】
エンジンと、前記エンジンにより駆動される可変容量型の油圧ポンプと、前記油圧ポンプにより駆動される油圧モータと、その油圧モータにより駆動される負荷装置とを有する車両のための制御方法において、
実際のアクセル操作量を入力し、前記実際のアクセル操作量の時間当たり増加率を予め設定された制限値に制限することにより、制御用アクセル操作量を生成するアクセル操作制御ステップと、
前記アクセル操作制御ステップからの前記制御用アクセル操作量に応じて、前記エンジンを制御するエンジン制御ステップと、を備え、
前記アクセル操作制御ステップでは、前記実際のアクセル操作量と、前記制御用アクセル操作量に前記制限値を加算した値とを比較し、小さい方の値を新たな前記制御用アクセル操作量として出力する、制御方法。
【請求項７】
エンジンと、前記エンジンにより駆動される可変容量型の油圧ポンプと、前記油圧ポンプにより駆動される油圧モータと、その油圧モータにより駆動される負荷装置とを有する車両のための制御方法において、
実際のアクセル操作量を入力し、前記実際のアクセル操作量の時間当たり増加率を予め設定された制限値に制限することにより、制御用アクセル操作量を生成するアクセル操作制御ステップと、
前記アクセル操作制御ステップからの前記制御用アクセル操作量に応じて、前記エンジンを制御するエンジン制御ステップと、を備え、
前記アクセル操作制御ステップでは、
前記実際のアクセル操作量と、前記制御用アクセル操作量とを比較し、前者が後者より大きければ、前記制御用アクセル操作量に前記制限値を加算した値を新たな前記制御用アクセル操作量として出力し、そうでなければ、前者を新たな前記制御用アクセル操作量として出力する、制御方法。
【請求項８】
エンジンと、前記エンジンにより駆動される可変容量型の油圧ポンプと、前記油圧ポンプにより駆動される油圧モータと、その油圧モータにより駆動される負荷装置とを有する車両のための制御方法において、
実際のアクセル操作量を入力し、前記実際のアクセル操作量の時間当たり増加率を予め設定された制限値に制限することにより、制御用アクセル操作量を生成するアクセル操作制御ステップと、
前記アクセル操作制御ステップからの前記制御用アクセル操作量に応じて、前記エンジンを制御するエンジン制御ステップと、を備え、
前記制限値は、前記制限値に相当する時間当たり増加率で前記制御用アクセル操作量が増加したことによって引き起こされる前記エンジン回転速度の増加に対して、前記油圧ポンプの容量の増加が追従できる範囲内に設定されている、制御方法。
【請求項９】
エンジンと、前記エンジンにより駆動される可変容量型の油圧ポンプと、前記油圧ポンプにより駆動される油圧モータと、その油圧モータにより駆動される負荷装置とを有する車両のための制御方法において、
実際のアクセル操作量を入力し、前記実際のアクセル操作量の時間当たり増加率を予め設定された制限値に制限することにより、制御用アクセル操作量を生成するアクセル操作制御ステップと、
前記アクセル操作制御ステップからの前記制御用アクセル操作量に応じて、前記エンジンを制御するエンジン制御ステップと、を備え、
前記制限値は、現在の前記実際のアクセル操作量に応じて、現在の前記実際のアクセル操作量が大きいほど前記制限値が大きくなるように設定される、制御方法。
【請求項１０】
エンジンと、前記エンジンにより駆動される可変容量型の油圧ポンプと、前記油圧ポンプにより駆動される油圧モータと、その油圧モータにより駆動される負荷装置とを有する車両のための制御装置において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え、
前記アクセル操作制御手段は、前記実際のアクセル操作量と、前記制御用アクセル操作量に前記制限値を加算した値とを比較し、小さい方の値を新たな前記制御用アクセル操作量として出力するように構成された、制御装置。
【請求項１１】
エンジンと、前記エンジンにより駆動される可変容量型の油圧ポンプと、前記油圧ポンプにより駆動される油圧モータと、その油圧モータにより駆動される負荷装置とを有する車両のための制御装置において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え、
前記アクセル操作制御手段は、
前記実際のアクセル操作量と、前記制御用アクセル操作量とを比較し、前者が後者より大きければ、前記制御用アクセル操作量に前記制限値を加算した値を新たな前記制御用アクセル操作量として出力し、そうでなければ、前者を新たな前記制御用アクセル操作量として出力するように構成された、制御装置。
【請求項１２】
エンジンと、前記エンジンにより駆動される可変容量型の油圧ポンプと、前記油圧ポンプにより駆動される油圧モータと、その油圧モータにより駆動される負荷装置とを有する車両のための制御装置において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え、
前記制限値は、前記制限値に相当する時間当たり増加率で前記制御用アクセル操作量が増加したことによって引き起こされる前記エンジン回転速度の増加に対して、前記油圧ポンプの容量の増加が追従できる範囲内に設定されている、制御装置。
【請求項１３】
エンジンと、前記エンジンにより駆動される可変容量型の油圧ポンプと、前記油圧ポンプにより駆動される油圧モータと、その油圧モータにより駆動される負荷装置とを有する車両のための制御装置において、
実際のアクセル操作量を入力し、前記実際のアクセル操作量の時間当たり増加率を予め設定された制限値に制限することにより、制御用アクセル操作量を生成するアクセル操作制御手段と、
前記アクセル操作制御手段からの前記制御用アクセル操作量に応じて、前記エンジンを制御するエンジン制御手段と、を備え、
前記制限値は、現在の前記実際のアクセル操作量に応じて、現在の前記実際のアクセル操作量が大きいほど前記制限値が大きくなるように設定される、制御装置。
【発明の詳細な説明】
【技術分野】
【０００１】
本発明は、油圧駆動式の車両(例えば、フォークリフト）およびその制御に関する。
【背景技術】
【０００２】
エンジンと、そのエンジンにより駆動される油圧ポンプと、その油圧ポンプにより駆動される油圧モータと、その油圧モータにより駆動される負荷装置（例えば駆動輪）とを有する車両が知られている（例えば特許文献１）。その典型的例は、産業車両や農業機械や建設機械に見られる。その種の車両では、例えば、そのパワートレイン（走行用の動力伝達装置）において、静液圧トランスミッション（Hydrostatic Transmission）（以下、HSTという）が、エンジンからの動力を駆動輪に伝えるために使用される。一般的なこととして、HSTは、閉油圧回路を構成するように相互接続された、可変容量型の油圧ポンプ（以下、「HSTポンプ」という）と可変又は固定容量型の油圧モータ（以下、「HSTモータ」という）を有する。HSTは、その原理上、トルクコンバータに代表されるHDT（Hydrodynamic Transmission）に比べて、エネルギーのロスが非常に小さく、無段階に変速でき、また、制動機能も有するなどの利点がある。
【０００３】
車両のパワートレインに組み込まれたHSTは、エンジンからの動力を、次のようにして車両の駆動輪へ伝達する。エンジンが駆動されると、エンジンに機械的に接続されたHSTポンプが駆動される。そのHSTポンプからHSTモータに作動油が供給されることにより、HSTモータが回転する。さらに、HSTモータが車両の駆動輪を駆動して回転させる。
【０００４】
HSTを有する車両は、さらにコントロールシステムを有している。近年は電子式のコントロールシステムが好んで採用されている。そのコントロールシステムは、車両に備えられたアクセルペダル等のアクセル操作に応答して、エンジンへの燃料噴射量と、HSTポンプの容量とを制御する。それにより、HSTポンプの圧力と流量が制御され、車両の駆動輪のトルクや回転速度が制御される。
【０００５】
特許文献１に開示されたコントロールシステムは、車両速度が低速域にあるときの燃費性能の向上と車速応答性の向上を目的として、アクセル操作量が所定の制限値より小さいか大きいかを判断し、アクセル操作量が所定の制限値より小さいときには、アクセル操作量の変化に応じたエンジンの回転速度の変化率が比較小さくなるように、また、アクセル操作量が所定の制限値より大きいときときには、アクセル操作量の変化によるエンジンの回転速度の変化率が比較的大きくなるように、エンジンを制御する。また、このコントロールシステムは、エンジンの回転速度に応じてHSTポンプの容量を制御する。
【先行技術文献】
【特許文献】
【０００６】
【特許文献１】特開平９−３０１０１６号公報
【発明の概要】
【発明が解決しようとする課題】
【０００７】
HSTを有する車両の典型例として、フォークリフトがあげられる。フォークリフトを発進させる又は大きく加速させる時、運転者は、急激に大きなアクセル操作（典型的には、一気に最大限までアクセルペダルを踏み込む）をすることがある。
【０００８】
しかしながら、HSTを有するフォークリフトの場合、そのような急激で大きなアクセル操作が行われると、次の２つの問題が生じる。その一つは、実際の燃費が、その車両の設計に期待された燃費より悪化することである。もう一つは、運転者に対して車両が「飛び出す」と感じるような過度の加速が生じる点である。「飛び出す」と感じるような加速は、積荷の荷崩れやフォーク上に荷を積む際のアプローチし難さといった不都合を生じさせる。
【０００９】
これらの問題は、フォークリフトに限らず他の種類の車両に関しても発生するであろう。しかし、フォークリフトの場合、荷取り作業などの際に頻繁に停止と発進を繰り返すことが多く、また、安全や積荷の損傷防止のため、フォークリフトがフォークで運んでいる荷物への余計な衝撃や荷崩れを避ける必要がある。それゆえ、上記の２つの問題の解決は、フォークリフトにおいて特に重要なものである。
【００１０】
従って、本発明の目的は、HSTに代表されるような油圧式の動力伝達を通じて、負荷装置への動力を伝達するように構成された油圧駆動式の車両、例えばフォークリフトにおいて、発進時又は低速走行状態からの加速時など急激で大きなアクセル操作が行われた場合でも燃費の悪化と強すぎる過度の加速を防ぐことにある。
【課題を解決するための手段】
【００１１】
本発明の一実施形態に従って提供される車両は、エンジンと、前記エンジンにより駆動される可変容量型の油圧ポンプと、前記油圧ポンプにより駆動される油圧モータと、その油圧モータにより駆動される負荷装置（例えば駆動輪）とを有する車両であって、実際のアクセル操作量を入力し、前記実際のアクセル操作量の時間当たり増加率を予め設定された制限値に制限することにより、制御用アクセル操作量を生成するアクセル操作制御手段と、前記アクセル操作制御手段からの前記制御用アクセル操作量に応じて、前記制御用アクセル操作量が大きいほど、同一のエンジン出力トルクが得られるエンジン回転速度が高くなるように、前記エンジンを制御するエンジン制御手段とを備える。
【００１２】
この車両によれば、車両の急発進または急加速のためにアクセルペダルが急激に踏み込まれて、実際のアクセル操作量が急激に（特に、上記所定の上限値より高い時間当たり増加率で）増加した場合でも、エンジンの制御に用いられる制御用アクセル操作量は、実際のアクセル操作量よりゆっくりと（つまり、上記上限値に相当する時間当たり増加率で）増加することになる。このゆっくりした制御用アクセル操作量の増加に伴って、エンジンの回転速度は、油圧ポンプの吸収トルクの上昇が追従できる程度の時間当たり増加率で上昇する。したがって、油圧ポンプの吸収トルクは、エンジン回転速度の上昇に伴って、期待された通りの上昇特性ラインに沿って増加する。結果として、発進時のエンジンの回転速度の過度な上昇が抑えられ、燃費が改善し、また、過度の加速も改善される。
【００１３】
また、本発明の一実施形態に従えば、前記アクセル操作制御手段は、前記実際のアクセル操作量と、前記制御用アクセル操作量に前記制限値を加算した値とを比較し、小さい方の値を新たな前記制御用アクセル操作量として出力するように構成されることができる。あるいは、変形例として、前記アクセル操作制御手段は、前記実際のアクセル操作量と、前記制御用アクセル操作量とを比較し、前者が後者より大きければ、前記制御用アクセル操作量に前記制限値を加算した値を新たな前記制御用アクセル操作量として出力し、そうでなければ、前者を新たな前記制御用アクセル操作量として出力するように構成されてもよい。
【００１４】
このように構成された車両によれば、比較や加算などの簡単な演算処理で、上記制御用アクセル操作量を生成することができる。
【００１５】
また、本発明の一実施形態では、前記制限値は、前記制限値に相当する時間当たり増加率で前記制御用アクセル操作量が増加したことによって引き起こされる前記エンジン回転速度の増加に対して、前記HSTポンプの容量の増加が追従できる範囲内に設定されている。
【００１６】
これにより、急発進や急加速のためにアクセルペダルが急激に深く踏まれた場合でも、エンジン回転速度の上昇速度に良好に追従して油圧ポンプの吸収トルクが、その設計に期待された増加特性ラインに沿って増加し、過度なエンジンの回転速度の上昇（いわゆるエンジンの「吹き上がり」）による燃費悪化を防止することができる。
【００１７】
また、本発明の一実施形態では、前記制限値は、現在の前記実際のアクセル操作量に応じて、現在の前記実際のアクセル操作量が大きいほど前記制限値が大きくなるように設定される。
【００１８】
これにより、実際のアクセル操作量が大きければ、制御用アクセル操作量の時間当たり増加量も高くなるので、運転者の意図に応じたエンジンの制御ができる。
【００１９】
本発明の一実施形態は、フォークリフトとして構成することができる。フォークリフトでは、発進時にアクセルペダルが急激に大きく踏まれた場合、エンジンの回転速度の上昇を抑えることによる低燃費効果と、過度な加速度（飛び出し感）を抑制する効果を、確実に得ることができる。
【００２０】
本発明は、油圧駆動式の車両のための制御方法及び制御装置も提供する。
【発明の効果】
【００２１】
本発明によれば、HSTに代表されるような油圧式の動力伝達を通じて、負荷装置への動力を伝達するように構成された油圧駆動式の車両、例えばフォークリフト、において、発進時又は低速走行状態からの加速時など急激で大きなアクセル操作が行われた場合の燃費の悪化と過度な加速を低減することができる。
【図面の簡単な説明】
【００２２】
【図１】フォークリフトの概略的な外観を示す側面図。
【図２】HSTを有するパワートレインの一構成例を示すブロック線図（パワートレインに隣接する幾つかのシステムも一緒に示されている）。
【図３】HSTを有するパワートレインを備えた車両、典型的にはフォークリフト、のエンジンとHSTポンプの回転速度−トルク特性を示すグラフ。
【図４】本発明の一実施形態にかかる車両が備えるパワートレインの機能的な構成例を示すブロック線図。
【図５】本実施形態において、実際のアクセル操作量が急激に増加した場合の制御用アクセル操作量の増加の様子を示すグラフ。
【図６】本実施形態におけるアクセル操作量の時間当たり増加率の制限値の設定例を示すグラフ。
【図７】時間経過に伴う実際のアクセル操作量５ａの変化の一例と、それに応じた制御用アクセル操作量１１ｂの変化の一例を示すグラフ。
【図８】制御用アクセル操作量を決定するための処理を示すフローチャート。
【図９】制御用アクセル操作量を決定するための処理の変形例を示すフローチャート。
【発明を実施するための形態】
【００２３】
本発明の実施形態の説明に入る前に、フォークリフトを例にとり、先述した急発進又は急加速を行うときに生じる２つの問題について説明する。
【００２４】
図１は、フォークリフトの概略的な外観を示す。図１に示すように、フォークリフト１は、駆動輪３、アクセルペダル５、および前後進切替レバー７などを有する。
【００２５】
図２は、油圧駆動式の車両（例えばフォークリフト）のパワートレイン（走行用の動力伝達機構）、特にHSTを有する、パワートレインの一構成例を示す（同図には、パワートレインだけでなく、これに隣接する幾つかのシステムも示されている）。
【００２６】
図２に示すように、パワートレイン１０は、アクセルペダル５、前後進切替レバー７、エンジン１３、エンジンコントローラ１１、HST２１、HSTコントローラ１５、駆動輪システム（ディファレンシャル、車軸及び駆動輪）３１などを有する。HST２１は、可変容量型のHSTポンプ２３（典型的には、斜板式可変容量型ポンプが用いられる）と、可変又は固定容量型（図示の例では可変容量型）のHSTモータ２５を有し、両者２３と２５は作動油が流れる油圧配管２２を介して相互接続されて閉油圧回路を構成している。HSTポンプ２３はエンジン１３の出力軸９に接続されており、エンジン１３によって駆動されて回転する。HSTポンプ２３から作動油がHSTモータ２５に供給されることにより、HSTモータ２５が駆動されて回転する。そして、HSTモータ２５の出力軸に駆動輪システム３１が接続されており、HSTモータ２５が駆動輪３を駆動して回転させる。なお、エンジン１３の出力軸９には、HSTポンプ２３だけでなく、他の油圧ポンプ(例えば、フォークリフトの場合、フォークの昇降やチルトを行うための油圧ポンプ２７や、ブレーキ装置を駆動するための油圧ポンプ２９など）も接続され得る。エンジン１３には、ガソリンエンジン、ディーゼルエンジンまたはLPGエンジンなど、種々の燃料で駆動されるものが採用され得る。
【００２７】
このようなパワートレイン１０の構成例の下で、従来から行われている制御動作の一例を以下に説明する。
【００２８】
運転者によるアクセルペダル５の操作量（実際のアクセル操作量）が、アクセルペダル５に設けられた図示しないセンサ（例えばポテンショメータ）により、電気信号として検出される。また、エンジン１３の回転速度が、エンジン１３の出力軸９に設けられた回転速度センサ１４により、電気信号として検出される。エンジンコントローラ１１には、アクセルペダル５からの実際のアクセル操作量の検出信号と、回転速度センサ１４からの回転速度の検出信号とが入力される。エンジンコントローラ１１は、検出されたアクセル操作量とエンジン回転速度に応答してエンジン１３への燃料噴射量を制御し、それにより、エンジン１３の出力トルクを制御する。また、エンジンコントローラ１１は、回転速度センサ１４で検出されたエンジン回転速度の検出信号を、HSTコントローラ１５に送信する。
【００２９】
HSTコントローラ１５は、回転速度センサ１４からエンジンコントローラ１１を通じて受信されたエンジン回転速度の検出信号に基づき、HSTポンプ２３の最大吸収トルクを決定し、その最大吸収トルクを指示する最大吸収トルク指令を、電気信号の形でHSTポンプ用EPC（Electric Proportional Control：電子比例制御）バルブ１７、１８に出力する。ここで、一方のEPCバルブ１７は、前後進切替レバー７により前進が選択されときに機能する前進用EPCバルブ１７であり、もう一方のEPCバルブ１８は、前後進切替レバー７により後進が選択されときに機能する後進用EPC１８バルブである。ポンプ用EPCバルブ１７、１８は、HSTコントローラ１５から入力された最大吸収トルク指令を、電気信号として受けて動作し、HSTポンプ容量可変ユニット２０を油圧駆動する。HSTポンプ容量可変ユニット２０は、HSTポンプ２３の吸収トルクが、上記最大吸収トルク指令によって指示された最大吸収トルクを上限とした範囲内で適切な値になるように、HSTポンプ２３の容量（典型的には、斜板の角度）を制御する。
【００３０】
なお、図示の例では、HSTモータ２５の容量もHSTコントローラ１５からの指令でモータ用EPCバルブ１９及びHSTモータ容量可変ユニット２４を通じて制御されるが、ここでは、その詳細の説明は省略する。
【００３１】
図３は、HST２１を有するパワートレイン１０を備えた車両、典型的にはフォークリフト、のエンジン１３とHSTポンプ２３の回転速度−トルク特性の典型例を示す。
【００３２】
実線の特性ライン（最大出力トルク特性ライン）５１は、エンジン１３が有するその回転速度に応じたその最大出力トルクの典型的な特性例を示す。ここで、エンジン１３の最大出力トルクとは、アクセル操作量が最大であるフルスロットルの状態で、エンジン１３が出力可能な最大のトルクを意味する。
【００３３】
動作点Liは、ローアイドル点（すなわち、エンジン１３が最低回転速度で稼働し、アクセル操作量がゼロで、駆動輪３への伝達トルクもゼロのときの動作点）である。動作点Hiは、ハイアイドル点（すなわち、エンジンが最高回転速度で稼働し、アクセル操作量が最大で、駆動輪３への伝達トルクがゼロのときの動作点）である。
【００３４】
一点鎖線の特性ライン（最大吸収トルク特性ライン）５３は、図２を参照して説明したようにHSTコントローラ１５によって決定される、エンジン回転速度に応じたHSTポンプ２３の最大吸収トルクの典型的特性例を示す。HSTコントローラ１５は、最大吸収トルク特性ライン５３上の現在のエンジン回転速度に対応したトルク値を、最大吸収トルク指令として出力する。それにより、HSTポンプ２３の吸収トルクが最大吸収トルク特性ライン５３以下の範囲内で制御される。HSTポンプ２３の時々の吸収トルクは、最大吸収トルク特性ライン５３以下の範囲内で、駆動輪３にかかる負荷の大きさに応じて変わる。しかし、フォークリフトが発進する時には、駆動輪３にかかる負荷がかなり大きいので、HSTポンプ２３の吸収トルクは、最大吸収トルク特性ライン５３上の値か又はそれに近い値になることが多い。
【００３５】
破線の特性ライン（出力トルク特性ライン）５５は、実際のアクセル操作量が一定であるときの、エンジン１３の回転速度に応じたエンジン１３の出力トルクの典型的な特性例を示す。すなわち、図２を参照して説明したように、エンジンコントローラ１１が、アクセル操作量とエンジン回転速度に応じて、エンジン１３への燃料噴射量を制御する。それにより、エンジン出力トルクが、時々のアクセル操作量に対応した図中の1つの出力トルク特性ライン５５に沿うように制御される。このような制御は、いわゆる、オール・スピード・ガバナ（ＡＳＧ）の制御であって、アクセル操作量が大きくなると、出力トルク特性ライン５５が図中の右の方へ移動していく。すなわち、アクセル操作量が大きくなると、同じエンジン回転速度ではエンジン出力トルクが大きくなり、また、同じ出力トルクが要求される条件下では、エンジン回転速度が上昇していく。なお、フォークリフトや建設機械におけるASGの制御の一つの特徴として、出力トルク特性ライン５５の勾配（トルクの変化の回転速度の変化に対する比率）が、図示のように大きい値に設定される。これにより、外部からの負荷が大幅に急に変動しても（トルクが大幅に急に変動しても）、エンジン回転速度の変動が小さく、負荷変動の多いフォークリフトや建設機械にとって、高い作業性を確保できる。このように出力トルク特性ライン５５の勾配が大きく設定されている場合、アクセル操作量に応じてエンジン回転速度がほぼ決まることになり、アクセル操作量が大きいほどエンジン回転速度が高くなる。
【００３６】
点線の特性ライン（燃費特性ライン）５７は、エンジン１３の燃費がある値で一定であるという条件下での、エンジン回転速度に応じたエンジン出力トルクの典型的な特性例を示す。燃費特性ライン５７が図３中の、より左上の方に位置するほど、燃費が良くなり、逆に、特性ライン５７が図３中の、より右下の方に位置するほど、燃費が悪くなる。
【００３７】
さて、ここで、図２を参照して、従来の制御動作について、アクセル操作量がゼロでフォークリフトが停止している状態から、発進する場合を想定して、説明する。最初、エンジン１３の動作点は、図３中のローアイドル点Liにある。次に、フォークリフトを発進するために、運転者が一気にアクセルペダル５を最大限まで踏み込んだとする。このアクセル操作量の急激な増大に応答して、エンジンコントローラ１１が、エンジン１３のスロットル開度又は燃料噴射量を急激に増加させる。それにより、エンジン１３の出力トルク特性ライン５５が、最初のローアイドル点Liを通る位置から、一気に図中の右へ移動していく（つまり、エンジン出力トルクが増大する）。その結果として生じた余剰トルクにより、エンジン１３の回転速度が上昇する。エンジン１３の回転速度の上昇に伴って、HSTコントローラ１５が、HSTポンプ２３の最大吸収トルク指令を、特性ライン５３に沿って増大させる。それにより、HSTポンプ２３の容量が増大する。
【００３８】
発進時には、駆動輪３にかかる負荷がかなり大きいので、HSTポンプ２３の吸収トルクは、最大吸収トルク特性ライン５３上の値か又はそれに近い値になることが多い。したがって、エンジン１３とHSTポンプ２３のマッチング動作点は、最初のローアイドル点Liから、HSTポンプ２３の最大吸収トルク特性ライン５３に沿って、図３中の右上の方へ移行する筈である。結果として、エンジン１３の回転速度はあまり高い値までは上昇せずに、エンジン１３のトルクが急速に上昇して、比較的に燃費の良い動作領域内で、発進が行われる筈である。
【００３９】
ところが、実際には、上記のような期待通りの結果が生じない。
【００４０】
すなわち、HSTコントローラ１５から最大吸収トルク指令が出た後、実際にHSTポンプ２３の容量がその指令に基づいた期待通りの値に変わるまでの間に、無視できない時間遅れが存在する。この時間遅れの結果として、実際のHSTポンプ２３の吸収トルクの上昇特性ラインは、図３中の二点鎖線の特性ライン５９のようになり、最大吸収トルク特性ライン５３よりゆるやかな勾配をもつものとなる。その結果として、エンジン１３の回転速度が一気に非常に高い値にまで上昇し、これに対し、HSTポンプ２３の吸収トルクはゆるやかに上昇することになる。したがって、発進時の実際の燃費は、車両の設計に期待された燃費よりも悪くなる。つまり、いわゆる、エンジンの噴き上がりが発生してしまい、燃料が無駄に消費されてしまう。これが、前述した従来技術の１番目の問題である。
【００４１】
従来技術の２番目の問題は次のとおりである。比較のため、HST２１ではなくてトルクコンバータを有するパワートレイン１０を備えたフォークリフトにおいて、発進時に上述したような急激で大きなアクセル操作が行われた場合における、トルクコンバータの吸収トルクの上昇特性ラインを、図３中のもう一つの二点鎖線の特性ライン６１で示す。トルク上昇特性ライン６１に示されたトルクコンバータの吸収トルクの上昇は、特性ライン５９に示されたHSTポンプ２３よりも、更に緩やかな勾配をもつものとなる。しかしながら、フォークリフトの発進時には、このトルク上昇特性ライン６１に示されるようなゆるやかな吸収トルク上昇の方が、むしろ適当な大きさの加速度を発生させることになる。その理由は、トルク特性ライン６１に示されるようなゆるやかなトルク上昇が、フォーク上に支持されている荷物に余計な衝撃が加わる、荷崩れが生じるなどの事故を防ぐことになるからである。したがって、トルク上昇特性ライン５９に示されるHSTポンプ２３の吸収トルクの上昇特性では、HSTを有するフォークリフトは、トルクコンバータを有するフォークリフトに比べて、その発進時に過度な加速が生じてしまうおそれがある。
【００４２】
以上の説明により、従来技術における２つの問題の発生メカニズムを説明した。なお、上述した２つの問題は、発進時だけでなく、低速走行状態から加速するときにも発生することは明らかであろう。
【００４３】
次に、本発明の一実施形態に係る車両について説明する。
【００４４】
本実施形態の車両（典型的にはフォークリフト）も、図２に示された構成をもつパワートレイン１０を備える。ただし、本実施形態では、図２に示されたエンジンコントローラ１１及びHSTコントローラ１５は、図２を参照しつつ既に説明した従来の制御動作とは異なる制御動作を行う。本実施形態における制御動作は、エンジンコントローラ１１及びHSTコントローラ１５にそれぞれ組み込まれたコンピュータが、そこに記憶されているコンピュータ・プログラムを実行することによって実現することもできるし、あるいは、エンジンコントローラ１１及びHSTコントローラ１５に組み込まれたワイヤード・ロジック回路によって実現することもできるし、あるいは、コンピュータ・プログラムの実行とワイヤード・ロジック回路との組み合わせによって実現することもできる。
【００４５】
図４は、本実施形態に係る車両が備えるパワートレイン１０の構成例を示している。
【００４６】
エンジンコントローラ１１及びHSTコントローラ１５は、それぞれ、後述する制御動作を行うようプログラムされたCPU、メモリ及びその他の付属回路等から構成される。図４に示すように、エンジンコントローラ１１は、エンジン制御部１１ａを有する。エンジンコントローラ１１のエンジン制御部１１ａには、回転速度センサ１４により検出されたエンジン回転速度１４ａとアクセル制御部１５ａから出力される制御用アクセル操作量１１ｂとが入力される。そして、エンジン制御部１１ａ（特にそのASG）は、アクセル操作制御部１５ａからの制御用アクセル操作量１１ｂが大きいほど、同じ出力トルクが出力されるエンジン回転速度が上昇するように（換言すれば、制御用アクセル操作量１１ｂが大きいほど、図３中でエンジン出力トルク特性ライン５５が右へシフトするように、より簡単に述べれば、制御用アクセル操作量１１ｂが増えればエンジン回転速度が上昇するように）、制御用アクセル操作量１１ｂおよびエンジン回転速度１４ａに応じてエンジン１３の燃料噴射量を制御する。
【００４７】
ここで、上記の制御用アクセル操作量１１ｂについて、簡単に説明する。運転者がフォークリフトを発進または加速させるためにアクセルペダル５を急激に踏み込んだ場合、実際のアクセル操作量５ａはアクセルペダル５の急激な踏み込みに即応して非常に高い時間当たり増加率で増加するのに対し、HSTコントローラ１５で生成される制御用アクセル操作量１１ｂは、予め設定された制限された時間当たり増加率で増加する。したがって、この場合には、制御用アクセル操作量１１ｂは実際のアクセル操作量５ａよりゆっくりと増加する。この制御用アクセル操作量１１ｂに基づいて、エンジン制御部１１ａがエンジン１３を制御することになる。
【００４８】
また、HSTコントローラ１５は、アクセル操作制御部１５ａとポンプ制御部１５ｂとを有する。HSTコントローラ１５のアクセル操作制御部１５ａには、アクセルペダル５で検出された実際のアクセル操作量５ａが入力される。（ここで、本実施形態では、実際のアクセル操作量５ａはエンジンコントローラ１１に入力されて、そこからHSTコントローラ１５に通知されるが、これは単なる例示にすぎず、実際のアクセル操作量５ａが直接的にHSTコントローラ１５に入力されてもよい。）アクセル操作制御部１５ａは、実際のアクセル操作量５ａに基づいて、制御用アクセル操作量１１ｂを生成する。その生成方法は後に説明する。
【００４９】
HSTコントローラ１５のポンプ制御部１５ｂには、回転速度センサ１４で検出されたエンジン回転速度１４と、前後進切替レバー７で選択された前進、ニュートラル又は後進の指令が入力される。（ここで、本実施形態では、エンジン回転速度１４ａはエンジンコントローラ１１に入力されて、そこからHSTコントローラ１５に通知されるが、これは単なる例示にすぎず、エンジン回転速度１４ａが直接的にHSTコントローラ１５に入力されてもよい。）ポンプ制御部１５ｂは、図３に示した最大吸収トルク特性ライン５３に従って、エンジン回転速度１４ａが高いほどHSTポンプ２３の最大吸収トルクが高くなるように、エンジン回転速度１４ａに応じてHSTポンプ２３の最大吸収トルクを決定し、その最大吸収トルク指令をHSTポンプ用ＥＰＣバルブ１７，１８に出力する。その最大吸収トルク指令に基づいてHSTポンプ２３の容量が制御される。
【００５０】
ところで、図４に示されたエンジンコントローラ１１とHSTコントローラ１５の構成は、説明のための一例にすぎず、それとは異なる構成が採用されてもよい。例えば、上述したアクセル操作制御部１５ａが、HSTコントローラ１５ではなく、エンジンコントローラ１１内に存在してもよいし、或いは、アクセル操作制御部１５ａの一部分がHSTコントローラ１５内に存在し、他の部分がエンジンコントローラ１１内に存在してもよい。あるいは、エンジンコントローラ１１とHSTコントローラ１５が単一のコントローラとして構成されてもよい。しかし、以下の説明は、図４に示された構成に基づいて行う。
【００５１】
次に、上述したHSTコントローラ１５のアクセル操作制御部１５ａについて、より詳細に説明する。
【００５２】
HSTコントローラ１５のアクセル操作制御部１５ａは、実際のアクセル操作量５ａに基づいて、制御用アクセル操作量１１ｂを生成する。制御用アクセル操作量１１ｂは、以下に示す時間区間では、実際のアクセル操作量５ａより小さく、それ以外のときには、実際のアクセル操作量５ａと等しい。この時間区間（つまり、制御用アクセル操作量１１ｂが実際のアクセル操作量５ａより小さくなる時間区間）は、制御用アクセル操作量１１ｂが実際のアクセル操作量５ａと今まで等しかったところで、実際のアクセル操作量が、予め設定された制限値より高い時間当たり増加率で増加を開始した時点で開始される。実際のアクセル操作量５ａは上記制限値より高い時間当たり増加率で増加するのに対し、制御用アクセル操作量１１ｂは上記制限値に相当する時間当たり増加率で（実際のアクセル操作量５ａよりもゆるやかに）増加する。そのため、制御用アクセル操作量１１ｂが実際のアクセル操作量５ａより小さくなる。その後、制御用アクセル操作量１１ｂが増加していって実際のアクセル操作量５ａに到達した時点で、制御用アクセル操作量１１ｂの増加が停止し、この時間区間が終わる。制御用アクセル操作量１１ｂが実際のアクセル操作量５ａに一旦等しくなると、以後は、実際のアクセル操作量５ａが再び上記制限値より高い時間当たり増加率で増加しない限り（換言すれば、実際のアクセル操作量５ａが一定であっても、低下しても、上記制限値以下の時間当たり増加率で増加しても）、制御用アクセル操作量１１ｂは実際のアクセル操作量５ａと等しい値になる。
【００５３】
要するに、制御用アクセル操作量１１ｂは、実際のアクセル操作量５ａの時間当たり増加率を、所定の制限値に制限することで得られる値である、ということができる。発進または加速のために瞬時に実際のアクセル操作量５ａが急増した場合、エンジン制御部１１ａへ与えられる制御用アクセル操作量１１ｂは、それよりゆるやかに増加する。したがって、この場合、HSTポンプ２３の吸収トルクは、制御用アクセル操作量１１ｂのゆるやかにした増加に良好に追従して、図３に示された最大吸収トルク特性ライン５３にほぼ沿って上昇する。結果として、エンジン１３は燃費の比較的に良い領域（図３中の比較的に低速のエンジン回転速度で高い出力トルクの領域）で動作することができる。また、フォークリフトを急発進又は急加速させるとき、エンジン回転速度が高くはならないので、過度な加速の問題も改善される。
【００５４】
図５は、実際のアクセル操作量５ａが上記制限値より高い時間当たり増加率で増加したときの制御用アクセル操作量１１ｂの増加の様子を例示している。
【００５５】
例えば、実際のアクセル操作量５ａと制御用アクセル操作量１１ｂがともに０％である状態から、実際のアクセル操作量５ａが特性ライン４１に示すように、０％から１００％まで一気に高い時間当たり増加率で増加した場合を想定する。これは、例えば、運転者がアクセルペダルを０％から最大限１００％まで一気に踏み込んだ場合である。この場合、制御用アクセル操作量１１ｂは、特性ライン４３に示すように、予め設定された制限値に相当する時間当たり増加率（図示の例では、１００ミリ秒のような単位時間当たりの増加ステップ４３ａ）で、実際のアクセル操作量５ａよりもゆるやかに増加していき、そして、実際のアクセル操作量５ａ（例えば１００％）に到達すると、増加を停止する。
【００５６】
次に、実際のアクセル操作量５ａが特性ライン４５に示すように、０％から４０％の間で、一気に高い時間当たり増加率で増加した場合を想定する。これは、例えば、運転者がアクセルペダルを０％から４０％まで一気に踏み込んだ場合である。この場合、制御用アクセル操作量１１ｂは、特性ライン４７に示すように、予め設定された制限値に相当する時間当たり増加率（図示の例では単位時間当たりの増加ステップ４７ａで、実際のアクセル操作量５ａよりもゆるやかに増加していき、その後、実際のアクセル操作量５ａ（例えば４０％）に到達すると、増加を停止する。
【００５７】
ここで、上記制限値は、現在の実際のアクセル操作量５ａの大小に関わらず一定値に設定されてもよいし、あるいは、図５に示された例のように、現在の実際のアクセル操作量５ａに応じて可変に設定されてもよい。
【００５８】
そこで、図６を参照して、現在の実際のアクセル操作量５ａに応じて上記制限値を可変に設定する場合の設定例を説明する。
【００５９】
図６に特性ライン（制限値特性ライン）４９で例示するように、現在の実際のアクセル操作量５ａが大きくなるほど、制限値（つまり、アクセル操作量の時間当たり増加率）も大きくなるように、現在の実際のアクセル操作量５ａに応じて、制限値が設定される。例えば、現在の実際のアクセル操作量５ａが１００％の場合の制限値は０．７％／単位時間であり、現在の実際のアクセル操作量５ａが４０％の場合の制限値は０．４６％／単位時間である、というようにである。一般に、運転者は、アクセルペダルを大きく踏み込むほど、すばやく、制御用アクセル操作量１１ｂが増加して、フォークリフトが発進又は加速することを望む。それゆえに、図６に示されるように、実際のアクセル操作量５ａが大きいほど、制限値（つまり、アクセル操作量の時間当たり増加率）が大きな値になるように、制限値特性ライン４９が設定されている。
【００６０】
図６に示されたような制限値特性ライン４９は、HSTコントローラ１５のアクセル操作制御部１５ａに、例えば、制限値を決定するためのファンクションまたはルックアップテーブルとして、実装することができる。
【００６１】
ここで、図６に示された制限値特性ライン４９によれば、上記制限値は実際のアクセル操作量に対してリニアに増加するが、必ずしもそうである必要はなく、ノンリニアに増加してもよい。いずれにしても、この制限値は、その制限値に相当する時間当たり増加率で制御用アクセル操作量１１ｂが増加したことによって引き起こされるエンジン回転速度の増加に、HSTポンプ２３の動作（特に容量の増加）が十分に追従するような、低い時間当たり増加率の範囲内で設定される。
【００６２】
図６に示された制限値を用いた場合、実際のアクセル操作量が図５に示された例のように、一気に高速に或る値まで増えた場合（いわゆる、アクセルペダルの「一気踏み」の場合）には、制御用アクセル操作量は、前記或る値に対応する一定の時間当たり増加率で増加していくことになる。他方、実際のアクセル操作量が時間をかけて増える場合（いわゆる、アクセルペダルの「踏み増し」の場合）には、制御用アクセル操作量は、逐次に上昇していく時間当たり増加率で増加していくことになる。
【００６３】
図７は、時間経過に伴う実際のアクセル操作量５ａの変化の一例と、それに応じた制御用アクセル操作量１１ｂの変化の一例を示している。
【００６４】
例えば、実際のアクセル操作量５ａが、時刻t0から、HSTポンプ２３の動作が遅れずに追従することができないような高い（つまり、予め設定された制限値より高い）時間当たり増加率で増加したとする（例えば、アクセルペダル５を最大量踏み込んだ発進あるいは加速が行われた場合）。すると、制御用アクセル操作量１１ｂが、上に述べた制限値に相当する時間当たり増加率で増加する。その時間当たり増加率（つまり制限値）は、前述したように、HSTポンプ２３の動作が遅れずに追従できる低い値である。したがって、制御用アクセル操作量１１ｂは、実際のアクセル操作量５ａよりもゆるやかに増加する。
【００６５】
その後、例えば時刻ｔ１で、制御用アクセル操作量１１ｂが現在の実際のアクセル操作量５ａに到達すると、制御用アクセル操作量１１ｂの増加が止まる。
【００６６】
その後、実際のアクセル操作量５ａが再び制限値より高い時間当たり増加率で増加しなければ、すなわち、例えば、実際のアクセル操作量５ａが一定（例えば、時間区間t1〜t2、t3〜t4）であるか、減少（例えば、時間区間t2〜t3）するか、あるいは制限値以下の時間当たり増加率で増加するならば、制御用アクセル操作量１１ｂは実際のアクセル操作量５ａと等しい値になる。
【００６７】
さらに、例えば時刻t4において、HSTポンプ２３が遅れずに追従することができない高い時間当たり増加率で実際のアクセル操作量５ａが再び増加したとすると、制御用アクセル操作量１１ｂは再び制限値に相当する（つまり、HSTポンプ２３の動作が遅れなしに追従できるように低い）時間当たり増加率で現在の実際のアクセル操作量５ａに向かって増加する。
【００６８】
このように、実際のアクセル操作量５ａが、HSTポンプ２３の動作が遅れずに追従することができないような高い時間当たり増加率で増加したときには、必ず、制御用アクセル操作量１１ｂは、HSTポンプ２３の動作が遅れずに追従できる低い時間当たり増加率で増加する。
【００６９】
上記のような制御用アクセル操作量１１ｂを生成するために、HSTコントローラ１５のアクセル操作制御部１５ａは、例えば図８に示すような処理を行うことができる。
【００７０】
すなわち、アクセル操作制御部１５ａには、ステップＳ１で、現在の実際のアクセル操作量５ａが入力され、ステップＳ２で、現在の実際のアクセル操作量５ａに基づいて、図６に例示されたような制限値特性ライン４９に従い、制御用アクセル操作量の制限値（つまり、制限された時間当たり増加率）を決定する。アクセル操作制御部１５ａは、ステップＳ３で、制御用アクセル操作量１１ｂにステップＳ２で得た制限値を加算した値と、実際のアクセル操作量５ａとを比較し、その結果、上記加算値が現在の実際のアクセル操作量５ａより小さければ（ステップＳ３でＹＥＳ）、ステップＳ４で、その加算値を新たな制御用アクセル操作量とする。これは、制御用アクセル操作量１１ｂを、ステップ２で決定された制限値に相当する時間当たり増加率で、実際のアクセル操作量５ａに向かって増加させることを意味する。また、ステップＳ３の結果、制御用アクセル操作量１１ｂが実際のアクセル操作量５ａより小さくなければ（つまり、等しいか、大きければ）（ステップＳ３でＮＯ）、アクセル操作制御部１５ａは、ステップＳ５で、現在の実際のアクセル操作量５ａを新たな制御用アクセル操作量１１ｂとする。これは、制御用アクセル操作量１１ｂを現在の実際のアクセル操作量５ａに一致させることを意味する。そして、アクセル操作制御部１５ａは、ステップＳ６で、上記のようにして決定された新たなアクセル操作量５ａを、エンジンコントローラ１１へ出力する。
【００７１】
以上の処理の結果、制御用アクセル操作量１１ｂが実際のアクセル操作量５ａと等しい状態から、実際のアクセル操作量５ａが減少するか又は制限値以下の時間当たり増加率で増加した場合には、制御用アクセル操作量１１ｂは実際のアクセル操作量５ａとともに変化してそれと等しい状態を維持する。例えば、実際のアクセル操作量５ａが制限値より高い時間当たり増加率で増加した場合には、制御用アクセル操作量１１ｂは、上記制限値に相当する時間当たり増加率（つまり、実際のアクセル操作量５ａよりもゆっくりと）で増加する。
【００７２】
変形例として、アクセル操作制御部１５ａは、上記図８に示された処理に変えて、図９に示すような処理を行うこともできる。
【００７３】
すなわち、アクセル操作制御部１５ａには、ステップＳ１１で、現在の実際のアクセル操作量５ａが入力され、ステップＳ１２で、現在の実際のアクセル操作量５ａに基づいて、図６に例示されたような制限値特性ライン４９に従い、制御用アクセル操作量の制限値（つまり、制限された時間当たり増加率）を決定する。アクセル操作制御部１５ａは、ステップＳ１３で、制御用アクセル操作量１１ｂと実際のアクセル操作量５ａとを比較し、その結果、現在の制御用アクセル操作量１１ｂが現在の実際のアクセル操作量５ａより小さければ、ステップＳ１４で、現在の制御用アクセル操作量に、ステップＳ１２で決定された時間当たり増加率（上記制限値）を加算して、その加算値を新たな制御用アクセル操作量とする。これは、制御用アクセル操作量１１ｂを、ステップ1２で決定された制限値(制限された時間当たり増加率)で増加させることを意味する。また、ステップＳ１３の結果、制御用アクセル操作量１１ｂが実際のアクセル操作量５ａより小さくなければ（つまり、等しいか、大きければ）、アクセル操作制御部１５ａは、ステップＳ１５で、現在の実際のアクセル操作量５ａを新たな制御用アクセル操作量１１ｂとする。これは、制御用アクセル操作量１１ｂを現在の実際のアクセル操作量５ａに一致させることを意味する。そして、アクセル操作制御部１５ａは、ステップＳ１６で、上記のようにして決定された新たなアクセル操作量５ａを、エンジンコントローラ１１へ出力する。
【００７４】
再び、図４を参照する。エンジンコントローラ１１のエンジン制御部１１ａは、制御用アクセル操作量１１ｂに応じて、図３に示された最大吸収トルク特性ライン５３に沿うように、HSTポンプ２３の最大吸収トルクを制御する。したがって、発進または加速のために実際のアクセル操作量５ａが急増した場合、制御用アクセル操作量１１ｂは、HSTポンプ２３が追従動作できるような低い時間当たり増加率で増加する。よって、この場合、HSTポンプ２３の実際の吸収トルクは、制御用アクセル操作量１１ｂのゆるやかな増加に良好に追従して、図３に示された最大吸収トルク特性ライン５３にほぼ沿って上昇する。結果として、エンジン１３のいわゆる吹き上がりがなく、エンジン１３は燃費の比較的に良い領域（図３中の比較的に低速のエンジン回転速度で高いエンジン出力トルクの領域）で動作することができる。また、エンジン回転速度もあまり高い値までは上昇しないので、発進時の過度な加速の問題も改善される。
【００７５】
特にフォークリフトでは、本実施形態にかかるパワートレイン１０が適用された場合に前述した２つの問題点が解消される効果は明確である。本実施形態にかかるパワートレイン１０を搭載したフォークリフトは、そのようなアクセルぺダル操作が発進時に行われても、発進時の飛び出し感（過度の加速感）が少なく、かつ、低燃費効果を得ることができる。
【００７６】
以上、本発明の好適な実施形態を説明したが、これは本発明の説明のための例示であり、本発明の範囲をこの実施形態にのみ限定する趣旨ではない。本発明は、その要旨を逸脱しない範囲で、上記実施形態とは異なる種々の態様で実施することができる。例えば、上記実施形態のエンジンコントローラ１１とHSTコントローラ１５がもつ複数の機能は、単一のコントローラで集中的に行われてもよいし、あるいは、より多くのコントローラによって分散して行われてもよい。また、上記実施形態のエンジンコントローラ１１の一部の機能が、HSTコントローラ１５に移されてもよいし、あるいは、上記実施形態のHSTコントローラ１５の一部の機能が、エンジンコントローラ１１に移されてもよい。また、フォークリフトに限らず、ホイールローダやクレーン車等の荷役車両において、本発明を適用することにより、同様な課題を解決することができる。さらに、エンジンからの動力を油圧ポンプと油圧モータを介して駆動輪に使えるように構成された車両だけでなく、エンジンからの動力を油圧ポンプと油圧モータを介して何らかの回転駆動を必要とする装置へ伝達するように構成された産業機械にも、本発明は適用可能である。
【符号の説明】
【００７７】
１    フォークリフト
３    駆動輪
５    アクセルペダル
５ａ  実際のアクセル操作量
７    前後進切替レバー
９    出力軸
１０    車両
１１    エンジンコントローラ
１１ａ  エンジン制御部
１１ｂ  制御用アクセル操作量
１３    エンジン
１４    回転速度センサ
１５    HSTコントローラ
１５ａ  アクセル操作制御部
１５ｂ  ポンプ制御部
１７、１８  HSTポンプ用ＥＰＣバルブ
２０    ポンプ容量可変ユニット
２１    HST
２３    HSTポンプ
２５    HSTモータ
３１    駆動輪システム
【図１】
0005341041.tif 000002
【図２】
0005341041.tif 000003
【図３】
0005341041.tif 000004
【図４】
0005341041.tif 000005
【図５】
0005341041.tif 000006
【図６】
0005341041.tif 000007
【図７】
0005341041.tif 000008
【図８】
0005341041.tif 000009
【図９】
0005341041.tif 000010